(57)【特許請求の範囲】
【請求項１】
ディスク状記録媒体が載置され、ディスク交換位置とディスク収容位置との間を移動可能に設けられたトレイと、
該トレイをディスク交換位置とディスク収容位置との間で移動するようにガイドするガイド機構と、
を有するディスク装置において、
前記トレイが前記ディスク交換位置へ移動したとき前記トレイの後端部に係合して前記トレイをがたつきのない状態に保持する保持機構を設け、
前記保持機構は、前記トレイの移動方向に延在形成された係合溝と、前記トレイが前記ディスク交換位置へ移動したとき、前記係合溝に係合する一対の係合部と、該一対の係合部を支持し、前記トレイの移動方向に対して直交方向に摺動可能に設けられたスライダと、を備えてなることを特徴とするディスク装置。
【発明の詳細な説明】
【０００１】
【発明の属する技術分野】
本発明はディスク装置に係り、特にディスク状記録媒体（以下「ディスク」と言う）が載置され移動可能に設けられたトレイを有するトレイ方式のディスクローディング機構を備えたディスク装置に関する。
【０００２】
【従来の技術】
従来のディスク装置としては、例えば、特開平１１−３９８４２号公報にみられるようにＣＤやＣＤ−ＲＯＭ等のディスクが載置されるトレイが装置内に移動すると、ターンテーブルを有する可動ベースが上方に移動してディスクをクランプして回転駆動する構成のディスク装置がある。
【０００３】
この公報に記載されたディスク装置では、ディスク交換位置とディスク収容位置との間を移動可能に設けられたトレイと、ターンテーブル及びピックアップを支持する可動ベースと、ターンテーブルとの間でディスクを挟持するクランパと、トレイがディスク収容位置に移動したとき、モータに駆動されてターンテーブルとクランパとの間でディスクを挟持するように可動ベースを動作させる可動ベース駆動機構と、を有する。そして、可動ベース駆動機構は、駆動側の第１可動ベース駆動部材と、第１可動ベース駆動部材に係合して駆動されることにより可動ベースをディスク収容位置またはディスク交換位置へ昇降させる第２可動ベース駆動部材とからなる。
【０００４】
このディスク装置においては、トレイを駆動するモータの回転駆動力が駆動ギヤを介してトレイに設けられたラックに伝達されることによりトレイをディスク交換位置またはディスク収容位置へ移動させる。また、ディスク装置では、トレイを駆動するための駆動ギヤが、第１可動ベース駆動部材のラックにも噛合しており、１個のモータでトレイと可動ベースを駆動することができるように構成されている。
【０００５】
また、ターンテーブル及びピックアップに振動が伝播されないようにするためターンテーブル及びピックアップを支持する可動ベース及び可動ベースを動作させる第２可動ベース駆動部材は、インシュレータゴムによりフローティング状態に支持されたシャーシに設けられており、駆動ギヤに駆動される第１可動ベース駆動部材はシャーシを支持する固定部に設けられている。そして、可動ベースは、第２可動ベース駆動部材に設けられた傾斜溝に係合する突出ピンを有しており、第２可動ベース駆動部材がスライドすることにより、突出ピンが水平方向に移動する傾斜溝に沿って昇降動作する。
【発明が解決しようとする課題】
しかしながら、上記構成とされた従来のディスク装置では、トレイの片側に設けられたラックに駆動ギヤが噛合するため、トレイの他側に設けられたガイド部とこのガイド部に嵌合する嵌合部とのクリアランスが比較的大きく設定されており、トレイのがたつきが大きかった。そのため、トレイがディスク交換位置へ移動した状態では、トレイの後端部が支持された片持ち状態でトレイ前端部が装置の前方に突出することになり、特にトレイの先端部分でのがたつきが拡大されているため、ユーザがディスクをトレイに載置する際にトレイ先端に接触すると、トレイが大きくがたつくおそれがあり、ユーザからみると見劣りするという問題があった。
そこで、本発明は上記課題を解決したディスク装置を提供することを目的とする。
【０００６】
【課題を解決するための手段】
本発明は、上記課題を解決するため、以下のような特徴を有する。
上記請求項１記載の発明は、ディスク状記録媒体が載置され、ディスク交換位置とディスク収容位置との間を移動可能に設けられたトレイと、トレイをディスク交換位置とディスク収容位置との間で移動するようにガイドするガイド機構と、を有するディスク装置において、トレイがディスク交換位置へ移動したときトレイの後端部に係合してトレイをがたつきのない状態に保持する保持機構を設けたものであり、保持機構によりディスク交換位置へ移動したトレイのがたつきが減少して高級感を高めることができる。
【０００７】
さらに、本発明は、保持機構が、トレイの移動方向に延在形成された係合溝と、トレイがディスク交換位置へ移動したとき、係合溝に係合する一対の係合部と、一対の係合部を支持し、トレイの移動方向に対して直交方向に摺動可能に設けられたスライダと、を備えており、係合溝と一対の係合部とのクリアランスを小さくしてトレイのがたつきを減少させることができると共に、係合溝と係合部との相対位置がずれても一対の係合部をトレイの移動方向に対して直交方向に摺動させて係合部を係合溝に確実に係合させることができる。
【発明の実施の形態】
以下図面と共に本発明の実施の形態について説明する。
図１は本発明になるディスク装置の一実施例の分解斜視図である。図２はトレイ１２のガイド溝を残してトレイ１２を外した状態の平面図である。図３は可動ベース駆動機構２６付近の構造を示す正面図である。
図１乃至図３に示されるように、ディスク装置１１は、ＣＤ−ＲＯＭ装置であり、大略、ＣＤ−ＲＯＭ（ディスク状記録媒体）が載置されるトレイ１２がディスク交換位置またはディスク収容位置との間をＡ，Ｂ方向に移動可能に取り付けられている。トレイ１２は、後述するトレイガイド機構１１０にガイドされてシャーシ１３に対して前後方向（Ａ，Ｂ方向）に移動可能に支持され、且つ後述するトレイ保持機構１１２によりディスク交換位置に移動したときのがたつきが無い状態に保持される。
【０００８】
トレイガイド機構１１０は、トレイ１２に設けられた摺動部４６，４７と、シャーシ１３に設けられ摺動部４６，４７の上面を摺動するトレイ支持部５３，５４と、摺動部４６，４７の下面側に凹設されたガイド溝４６ａ，４７ａと、ガイド溝４６ａ，４７ａに嵌合するようにシャーシ１３上に突出する凸部１３ａ，１３ｂとから構成されている。
【０００９】
トレイ保持機構１１２は、トレイ１２がＡ方向に移動してディスク交換位置に達したとき、トレイガイド機構１１０がトレイ１２の後端部のみでガイドするため、トレイ１２のがたつきが大きくなることを防止するものである。すなわち、トレイ保持機構１１２は、トレイ１２の下面側後部に設けられた係合溝１１４と、後述する第２スライダ２８の右端に突出する一対の係合ピン（係合部）８３ｂとから構成されている。
【００１０】
係合ピン８３ｂは、外径と係合溝１１４の溝幅とのクリアランスが小さく設定されており、殆どがたつきのない状態で係合することができる。そのため、一対の係合ピン８３ｂは、トレイ１２がＡ方向に移動するのに連動してＤ方向に移動し、トレイ１２がディスク交換位置に移動したときに係合溝１１４に係合してトレイ１２のがたつきを小さくする。
【００１１】
尚、係合溝１１４は、トレイ１２の移動方向であるＡ，Ｂ方向に延在形成されており、両端部１１４ａ，１１４ｂはテーパ状に広げられており、係合ピン８３ｂが進入しやすい構成となっている。また、係合ピン８３ｂを有する第２スライダ２８は、トレイ１２のラック４０に噛合する駆動ギヤ２９に噛合してがたつきのない状態で左右方向（Ｃ，Ｄ方向）へ移動するため、係合ピン８３ｂを安定的に支持することができる。さらに、第２スライダ２８は、トレイ１２の移動方向（Ａ，Ｂ方向）に対して直交する左右方向（Ｃ，Ｄ方向）へ移動するため、係合溝１１４との係合により動作不能になることもない。
【００１２】
フローティングシャーシ１４は、シャーシ１３にフローティング状態に支持されるように取り付けられる。すなわち、フローティングシャーシ１４の前側とシャーシ１３との間には、振動を吸収するインシュレータゴム１５が複数箇所に介在している。また、フローティングシャーシ１４には、後端部を支点として前端側が昇降する可動ベース１６が回動可能に支持される。
【００１３】
さらに、クランパホルダ１７がフローティングシャーシ１４に対し上方から取り付けられる。クランパホルダ１７は、フローティングシャーシ１４の上方に横架されるように両端がフローティングシャーシ１４の両側部に固定される。そして、クランパホルダ１７の中央穴１７ａにはディスクの中央孔周縁部を挟持するクランパ１８が回転可能に取り付けられている。
【００１４】
可動ベース１６の上面には、ディスクを回転可能に支持するターンテーブル１９及びターンテーブル１９を回転駆動するディスクモータ２０が支持される。また、可動ベース１６の上面開口１６ａには、ディスクの記録面に記録された情報を光学的に読み取るピックアップ２１がディスク半径方向（Ａ，Ｂ方向）に移動可能に設けられている。
【００１５】
また、可動ベース１６の一端には、板バネ２２が取り付けられている。フローティングシャーシ１４の後部は、シャーシ１３に対しインシュレータゴム１５を介してフローティング状態に支持される。そして、可動ベース１６の他端には、昇降動作の駆動力が伝達される一対のピン２３がＡ方向に突出している。
【００１６】
また、シャーシ１３の前側には、前面ベゼル２４が取り付けられる。前面ベゼル２４はトレイ１２が移動する際に通過するための開口２５を有する。そのため、ディスク交換を行う場合、トレイ１２は前面ベゼル２４の開口２５からＡ方向に引き出される。そして、ディスクを装着させる際は、ディスクが載置されたトレイ１２がＢ方向に移動し、開口２５を通過して装置内のディスク収容位置に引き込まれる。
【００１７】
また、シャーシ１３及びフローティングシャーシ１４の前側には、可動ベース１６の他端側を昇降させる可動ベース駆動機構２６が設けられている。この可動ベース駆動機構２６は、シャーシ１３の上面をＣ，Ｄ方向に摺動可能に取り付けられた第１スライダ２７と、フローティングシャーシ１４の上面をＣ，Ｄ方向に摺動可能に取り付けられた第２スライダ２８とを有する。
【００１８】
可動ベース駆動機構２６を駆動する駆動モータ（図示せず）は、シャーシ１３上に取り付けられており減速ギヤ群（図示せず）を介して駆動ギヤ２９を駆動する。この駆動モータ（図示せず）は、制御回路（図示せず）からの制御信号により回転方向が切替えられるように駆動制御され、可動ベース１６の他端側を昇降させると共に、トレイ１２をＡ，Ｂ方向に移動させる際の駆動源としても機能する。
【００１９】
ここで、トレイ１２の構成について説明する。
図１に示されるように、トレイ１２は、上面側にディスクが載置される環状のディスク載置部３０が形成されている。そして、ディスク載置部３０の内側には、ターンテーブル１９及びピックアップ２１が対向するための開口３１が設けられている。さらに、トレイ１２の左側面の後部には、ディスク交換位置に移動する際のストッパ１２ａが設けられている。
【００２０】
図４はトレイ１２を下方からみた底面図である。
図４に示されるように、トレイ１２の下面には、駆動モータ（図示せず）に駆動される駆動ギヤ２９が噛合するラック４０がＡ，Ｂ方向に延在形成されている。また、トレイ１２の下面には、第１スライダ２７のスライド動作をガイドする第１ガイド溝４２と、第２スライダ２８のスライド動作をガイドする第２ガイド溝４４とが設けられている。第１ガイド溝４２は、両側がトレイ１２の下面から突出する壁部４２ａ，４２ｂに囲まれた空間よりなる。そして、第１スライダ２７は、ピン７３が第１ガイド溝４２の傾斜部４２ｃを通過する際にＣ，Ｄ方向に移動する。
【００２１】
尚、第１ガイド溝４２は、Ａ，Ｂ方向上トレイ１２の開口３１と重なる位置に設けられている。そのため、第１スライダ２７のピン７３は、開口３１と対向する位置にあるときは、第１ガイド溝４２に嵌合しておらず、トレイ１２がディスク収容位置に至る過程で相対的に第１ガイド溝４２に嵌合する。
また、第２ガイド溝４４も上記第１ガイド溝４２と同様に両側がトレイ１２の下面から突出する壁部４４ａ，４４ｂに囲まれた空間よりなる。そして、第２スライダ２８は、ピン８３ａが第２ガイド溝４４の傾斜部４４ｃ，４４ｄを通過する際にＣ，Ｄ方向に移動する。
【００２２】
トレイ１２の下面の両側には、Ａ，Ｂ方向に延在形成された摺動部４６，４７が一体的に設けられている。また、トレイ１２には、可動ベース１６のディスク押圧片１６ｂ，１６ｃが進入するための開口１２ｂ，１２ｃが設けられている。
次にシャーシ１３の構成について説明する。
図１に示されるように、シャーシ１３は、両側の側壁５１，５２の内面にトレイ１２を支持するトレイ支持部５３，５４が設けられている。この支持部５３，５４は、摺動部４６，４７の上面から当接してトレイ１２を摺動をガイドすると共に規制するように複数箇所（本実施例では、３箇所）に設けられている。さらに、側壁５１，５２のＡ，Ｂ方向の中間位置には、凹部５１ａ，５２ａが設けられている。
【００２３】
また、シャーシ１３の底部に形成された開口４８の縁部には、第１スライダ２７をＣ，Ｄ方向に摺動可能にガイドする一対のガイド孔５５が設けられている。さらに、シャーシ１３の底部の前側には、前述したインシュレータゴム１５の形状に対応した段付き凹部６０が設けられている。
【００２４】
次にフローティングシャーシ１４の構成について説明する。
図１及び図２に示されるように、フローティングシャーシ１４は、シャーシ１３に対し複数のインシュレータゴム１５によりフローティング状態に支持されている。そのため、シャーシ１３に入力された振動は、複数のインシュレータゴム１５で吸収されて絶縁される。
【００２５】
また、フローティングシャーシ１４には、可動ベース１６が昇降するための開口６１が設けられている。この開口６１のＢ方向側には、可動ベース１６を昇降可能に支持する板バネ２２が固定される取付部６２が形成されている。そして、フローティングシャーシ１４の底面及び両側面の角部には、シャーシ１３に設けられたトレイ支持部５３，５４が遊嵌状態で挿通される穴６３，６４が設けられている。
【００２６】
従って、トレイ支持部５３，５４は、フローティングシャーシ１４と非接触状態に組み込まれている。そのため、フローティングシャーシ１４は、シャーシ１３に入力された振動がトレイ支持部５３，５４を介して伝達されないように取り付けられている。
さらに、フローティングシャーシ１４の底面には、駆動ギヤ２９が挿通される円形の孔６５と、第１スライダ２７からのピン７３及び第２スライダ２８に設けられた板バネ８７が挿通される長方形の開口６６が設けられている。
【００２７】
また、フローティングシャーシ１４の両側面の上端には、クランパホルダ１７の両端部が固定される平面状の取付部６７，６８が設けられている。この取付部６７，６８は、フローティングシャーシ１４の両側面より外側に突出するように形成されている。さらに、シャーシ１３の側壁５１，５２には、凹部５１ａ，５２ａが設けられているので、フローティングシャーシ１４がシャーシ１３に取り付けられる際、取付部６７，６８は側壁５１，５２の凹部５１ａ，５２ａに挿入され、フローティングシャーシ１４はシャーシ１３に非接触状態に取り付けられる。
【００２８】
次に可動ベース駆動機構２６について説明する。
図５は駆動ギヤ２９の構成を示す図であり、（Ａ）は平面図、(Ｂ)はＢ−Ｂ線に沿う縦断面図、（Ｃ）はＣ−Ｃ線に沿う縦断面図である。
図５（Ａ）（Ｂ）に示されるように、駆動ギヤ２９は、駆動モータ（図示せず）に駆動される減速ギヤに噛合する大径ギヤ２９ａと、大径ギヤ２９ａの上面に一体形成された可動ベース駆動用の小径ギヤ２９ｂと、小径ギヤ２９ｂの上端に嵌合するトレイ駆動用ギヤ２９ｃを有する。トレイ駆動用ギヤ２９ｃは、ギヤ形状の凹部２９ｄを有するため、大径ギヤ２９ａ及び小径ギヤ２９ｂと一体的に回転することができる。
【００２９】
また、可動ベース駆動用の小径ギヤ２９ｂは、後述するラック７１に噛合して第１スライダ２７を駆動する。トレイ駆動用ギヤ２９ｃは、トレイ１２の左側内壁に設けられたラック４０に噛合してトレイ１２を駆動する。
図６（Ａ）〜（Ｆ）は可動ベース駆動機構の第１スライダ２７の構成を説明するための図であり、（Ａ）は平面図、（Ｂ）は正面図、（Ｃ）は底面図、（Ｄ）は左側面図、（Ｅ）はＥ−Ｅ断面図、（Ｆ）はＦ−Ｆ断面図である。
図６（Ａ）〜（Ｆ）に示されるように、第１スライダ２７は、後部縁部に形成されギヤ２９ａに噛合するラック７１と、シャーシ１３の段部に当接してＣ方向に付勢するばね部７２と、上方に突出して第２スライダ２８に係合する円筒形状の係合ピン７３と、下方に突出してシャーシ１３に設けられた一対のガイド孔５５に摺動可能に係合して摺動位置をガイドされるガイド部７４，７５とを有する。第１スライダ２７は、固定部としてシャーシ１３に摺動可能に設けられている。ばね部７２は、逆U字状に形成された弾性体であり、トレイ１２がディスク交換位置に変位したときに弾性変形されて第１スライダ２７をＣ方向に付勢する。
【００３０】
また、第１スライダ２７の上面には、後述するように第２スライダ２８の動作を規制するための第１，第２の突起７６，７７が突出している。尚、第２の突起７７は、第１の突起７６よりも高く形成されている。さらに、第１スライダ２７の下面に突出するガイド部７４，７５は、逆T字状に形成されているため、一対のガイド孔５５に係合して摺動方向をガイドされると共に、上方への抜けが防止される。
【００３１】
図７（Ａ）〜（Ｃ）は可動ベース駆動機構の第２スライダ２８の構成を説明するための図であり、（Ａ）は平面図、（Ｂ）は正面図、（Ｃ）は側面図である。
図７（Ａ）〜（Ｃ）に示されるように、第２スライダ２８は、側方からみるとＬ字状に形成され、フローティングシャーシ１４上を摺動する平面部８１と、平面部８１の縁部から下方に垂下されたカム部８２とからなる。平面部８１は、左端近傍より上方に突出するピン８３ａと、右端近傍より上方に突出する一対の係合ピン８３ｂと、摺動方向（Ｃ，Ｄ方向）に延在形成された一対の長孔８４，８５と、第１スライダ２７から起立した係合ピン７３が遊嵌状態に挿入される四角形状の穴８６と、第１スライダ２７の第１，第２の突起７６，７７に当接して移動を規制される板バネ８７と、フローティングシャーシ１４の開口６１の縁部に係合されて摺動方向がガイドされるように突出するガイド部８８とを有する。
【００３２】
第２スライダ２８は、インシュレータゴム１５によりフローティング状態に支持されたフローティングシャーシ１４に摺動可能に支持されているので、シャーシ１３に設けられた第１スライダ２７からの振動が伝播されないように穴８６に対して第１スライダ２７の係合ピン７３が遊嵌状態に挿入されている。
【００３３】
また、平面部８１には、摺動方向（Ｃ，Ｄ方向）に延在形成された十字状の孔８１ａが貫通しており、この孔８１ａには板バネ８７が挿入されている。板バネ８７は、一端８７ａが平面部８１に熱かしめ等の固定方法により固定され、Ｄ方向に延在する他端８７ｂが自由端になっている。そして、板バネ８７の他端８７ｂの下面には、第１スライダ２７の第１，第２の突起７６，７７に当接する当接部８７ｃが設けられている。また、板バネ８７の他端８７ｂの両側には、当接部８７ｃを第１，第２の突起７６，７７から離間させる際にフローティングシャーシ１４の上面に突出する台形状のカム１４ａに摺接する摺接部８７ｄが突出している。
【００３４】
また、カム部８２には、可動ベース１６の前端から突出する一対のピン２３が挿通される傾斜溝８９，９０が貫通している。そのため、第２スライダ２８がＣ方向に摺動すると、可動ベース１６の一対のピン２３が相対的に傾斜溝８９，９０に沿って上動する。よって、可動ベース１６に支持されたターンテーブル１９及びピックアップ２１がフローティングシャーシ１４の開口６１を通過して上方に変位する。
【００３５】
これにより、トレイ１２に載置されたディスクは、ターンテーブル１９により持ち上げられてクランパ１８との間でクランプされる。これと共にピックアップ２１がクランプされたディスクの下面に対向してディスクに記録された情報を読み取ることができる。
【００３６】
また、長孔８４，８５には、フローティングシャーシ１４上に設けられた突起９１，９２が嵌合する。そのため、第２スライダ２８は、長孔８４，８５と突起９１，９２との嵌合により摺動方向がＣ，Ｄ方向となるように規制される。
【００３７】
ここで、上記のように構成された可動ベース駆動機構２６の動作をトレイ１２の動作と共に説明する。
【００３８】
図８はトレイ１２がディスク交換位置に移動した状態を示す側面図である。
図８に示されるように、トレイ１２がＡ方向に引き出されてディスク交換位置に移動された状態では、可動ベース１６の前端が降下している。そのため、可動ベース１６は、回動支点としての板バネ２２が撓んで傾斜した状態となる。よって、ターンテーブル１９及びピックアップ２１は、可動ベース１６の回動動作と共に降下する。
【００３９】
図９はイジェクト操作によりトレイ１２がディスク交換可能なイジェクト位置に移動完了したときの可動ベース駆動機構２６の動作状態▲１▼を示す図であり、（Ａ）は平面図、（Ｂ）は正面図である。
図９（Ａ）(Ｂ)に示されるように、フローティングシャーシ１４の上面には第２スライダ２８が摺動可能に載置され、フローティングシャーシ１４の下面には第１スライダ２７が摺動可能に対向している。そして、フローティングシャーシ１４の上面には板バネ８７に当接する台形状のカム１４ａが突出している。
【００４０】
このカム１４ａは、板バネ８７の側方に突出する当接部８７ｄが摺接する位置に設けられている。そして、板バネ８７は、第１スライダ２７の摺動位置により摺接部８７ｄがカム１４ａの傾斜部を通過することにより係止解除位置に変位する。尚、ディスク装着動作過程では、第１スライダ２７の係合ピン７３が穴８６に対してＤ方向に移動して第２スライダ２８をＣ方向に押圧しないので、板バネ８７により第２スライダ２８を規制する必要がない。
【００４１】
図１０はトレイ１２がディスク交換位置に移動したときのトレイ保持機構１１０の動作状態を示す平面図である。
図１０に示されるように、トレイ１２がディスク交換位置に移動した状態においては、トレイ１２の下面左側のラック４０が駆動モータ（図示せず）に駆動される駆動ギヤ２９のトレイ駆動用ギヤ２９ｃに噛合していると共に、第２スライダ２８より上方に突出するピン８３ａが第２ガイド溝４４に嵌合して位置規制している。尚、係合溝１１４が一対の係合ピン８３ｂに係合しているときは、ピン８３ａは第２ガイド溝４４の壁から離間している。
【００４２】
また、トレイ１２の右側では、前述したトレイ保持機構１１２によりがたつきの無い状態に保持されている。すなわち、トレイ１２の下面側後部に設けられた係合溝１１４に第２スライダ２８の右端に突出する一対の係合ピン８３ｂが係合し、トレイ１２の右側を保持する。
【００４３】
トレイ１２がディスク交換位置に移動したとき、トレイ１２がイジェクト方向（Ａ方向）に移動するのに連動して一対の係合ピン８３ｂがＤ方向に移動することにより、係合溝１１４に係合する。そして、係合ピン８３ｂは、外径と係合溝１１４の溝幅とのクリアランスが小さいため、がたつきのない状態で係合しており、これによりトレイ１２のがたつきを小さくすることができる。
【００４４】
そのため、ユーザがトレイ１２のディスク載置部３０にディスクを載置する際にトレイ１２の先端部分に接触してもトレイ１２ががたつかないため、高級機に対して見劣りしない。
【００４５】
ここで、可動ベース駆動機構２６の第１スライダ２７及び第２スライダ２８の動作について説明する。
【００４６】
図１１はディスク装着動作過程の第１スライダ２７及び第２スライダ２８の状態を示す図であり、（Ａ）は平面図、（Ｂ）は正面図である。
図１１（Ａ）（Ｂ）に示されるように、第１スライダ２７は、ギヤ２９ａに噛合するラック７１を有するため、ディスク装着操作によりギヤ２９ａが駆動モータ（図示せず）により回転駆動されると、Ｄ方向に摺動する。係合ピン７３が穴８６のＤ方向の壁面を押圧し、第２スライダ２８がＤ方向へ摺動する。板バネ８７の摺接部８７ｄは、第２スライダ２８がＤ方向に摺動する過程でカム１４ａの上面に乗り上げて上方に変位する。これにより、板バネ８７の先端に設けられた当接部８７ｃが第１スライダ２７の第１，第２の突起７６，７７から離間することにより第１スライダ２７と第２スライダ２８との相対的な規制が解除される。
【００４７】
図１２はディスク収容完了のときの第１スライダ２７及び第２スライダ２８の状態を示す図であり、（Ａ）は平面図、（Ｂ）は正面図である。
図１２（Ａ）(Ｂ)に示されるように、第２スライダ２８がさらにＤ方向に摺動すると、板バネ８７の摺接部８７ｄが台形状のカム１４ａから離間すると共に、可動ベース１６の一対のピン２３が傾斜溝８９，９０の傾斜部８９ｂ，９０ｂを通過して傾斜溝８９，９０の上側水平部８９ａ，９０ａに至る過程で、可動ベース１６の前端が上昇する。これにより、可動ベース１６に搭載されたターンテーブル１９がトレイ１２に載置されたディスクをクランプすると共に、ピックアップ２１がディスクの記録面に対向する。このとき、穴８６内をピン７３がＣ及びＤ方向へ自由に移動可能である。
【００４８】
図１３はイジェクト動作途中の第１スライダ２７及び第２スライダ２８の状態を示す図であり、（Ａ）は平面図、（Ｂ）は正面図である。
図１３（Ａ）(Ｂ)に示されるように、イジェクト操作により可動ベース１６の一対のピン２３が傾斜溝８９，９０の傾斜部８９ｂ，９０ｂを通過して下側水平部８９ｃ，９０ｃに位置するとき、可動ベース１６の前端は降下する。これにより、可動ベース１６に搭載されたターンテーブル１９及びピックアップ２１がトレイ１２の下方に移動する。
【００４９】
可動ベース１６は、一対のピン２３が上側水平部８９ａ，９０ａのＰ１位置から傾斜部８９ｂ，９０ｂのＰ２位置に移動する際、第１スライダ２７からの振動が第２スライダ２８に伝播されないように第１スライダ２７の係合ピン７３が穴８６に遊嵌しているため、穴８６に対してＣ方向に移動してピン２３が傾斜部８９ｂ，９０ｂをＤ方向に押圧することにより第２スライダ２８をスライドさせて急激にピン２３が下側水平部８９ｃ，９０ｃのＰ３位置に降下してしまうおそれがあった。
【００５０】
しかしながら、第２スライダ２８は、図３及び図１３（Ｂ）に示されるように、板バネ８７の先端に設けられた当接部８７ｃが第１スライダ２７の第１，第２の突起７６，７７に当接してＤ方向への移動が規制され、駆動ギヤ２９により駆動される第１スライダ２７と一体的に移動する。そのため、イジェクト開始時に第１スライダ２７の係合ピン７３が穴８６に対してＣ方向に移動して可動ベース１６のピン２３が上記Ｐ１位置からＰ２位置へ移動する過程で傾斜部８９ｂ，９０ｂをＤ方向に押圧しても第２スライダ２８が勝手にＤ方向へ移動できないため、ピン２３が急激に降下できず、可動ベース１６の前端は第１スライダ２７の駆動位置に応じた速度で降下する。
【００５１】
このように、イジェクト動作時にトレイ１２を移動させる前に可動ベース１６の前端を降下させる場合、可動ベース１６のピン２３が上記Ｐ１位置からＰ２位置へ移動する過程で可動ベース１６の前端が急激に降下しないので、第２スライダ２８の穴８６が係合ピン７３に衝突せず、可動ベース１６を降下させる際の衝撃及び衝撃音が発生することを防止できる。また、可動ベース１６の降下による衝撃が緩和され、衝撃によりディスクがトレイ１２の載置位置からずれることを防止する。
尚、上記実施例では、ＣＤ−ＲＯＭ装置を一例として挙げたが、これに限らず、ＣＤ−ＲＯＭ以外の記録媒体が装着されるディスク装置にも適用できるのは勿論である。
【発明の効果】
上述の如く、請求項１記載の発明によれば、ディスク状記録媒体が載置され、ディスク交換位置とディスク収容位置との間を移動可能に設けられたトレイと、トレイをディスク交換位置とディスク収容位置との間で移動するようにガイドするガイド機構と、を有するディスク装置において、トレイがディスク交換位置へ移動したときトレイの後端部に係合してトレイをがたつきのない状態に保持する保持機構を設けたため、保持機構によりディスク交換位置へ移動したトレイのがたつきが減少して高級感を高めることができる。
【００５２】
また、本発明によれば、保持機構が、トレイの移動方向に延在形成された係合溝と、トレイがディスク交換位置へ移動したとき、係合溝に係合する一対の係合部と、を備えてなるため、係合溝と一対の係合部とのクリアランスを小さくしてトレイのがたつきを減少させることができると共に、係合溝と係合部との相対位置がずれても一対の係合部をトレイの移動方向に対して直交方向に摺動させて係合部を係合溝に確実に係合させることができる。
【図面の簡単な説明】
【図１】本発明になるディスク装置の一実施例の分解斜視図である。
【図２】トレイのガイド溝を残してトレイを外した状態の平面図である。
【図３】可動ベース駆動機構付近の構造を示す正面図である。
【図４】トレイ１２の構成を示す図であり、（Ａ）はトレイ１２を下方からみた底面図、（Ｂ）はトレイ１２のラック導入部を拡大して示す側面図、（Ｂ）はトレイ１２のラック導入部を拡大して示す底面図である。
【図５】駆動ギヤ２９の構成を示す図であり、（Ａ）は平面図、(Ｂ)はＢ−Ｂ線に沿う縦断面図、（Ｃ）はＣ−Ｃ線に沿う縦断面図である。
【図６】可動ベース駆動機構の第１スライダ２７の構成を説明するための図であり、（Ａ）は平面図、（Ｂ）は正面図、（Ｃ）は底面図、（Ｄ）は左側面図、（Ｅ）はＥ−Ｅ断面図、（Ｆ）はＦ−Ｆ断面図である。
【図７】可動ベース駆動機構の第２スライダ２８の構成を説明するための図であり、（Ａ）は平面図、（Ｂ）は正面図、（Ｃ）は側面図である。
【図８】トレイがディスク交換位置に移動した状態を示す側面図である。
【図９】イジェクト操作によりトレイ１２がディスク交換可能なイジェクト位置に移動完了したときの可動ベース駆動機構２６の動作状態▲１▼を示す図であり、（Ａ）は平面図、（Ｂ）は正面図である。
【図１０】トレイ１２がディスク交換位置に移動したときのトレイ保持機構１１０の動作状態を示す平面図である。
【図１１】ディスク装着動作過程の第１スライダ２７及び第２スライダ２８の状態を示す図であり、（Ａ）は平面図、（Ｂ）は正面図である。
【図１２】ディスク収容完了のときの第１スライダ２７及び第２スライダ２８の状態を示す図であり、（Ａ）は平面図、（Ｂ）は正面図である。
【図１３】イジェクト動作途中の第１スライダ２７及び第２スライダ２８の状態を示す図であり、（Ａ）は平面図、（Ｂ）は正面図である。
【符号の説明】
１１  ディスク装置
１２  トレイ
１３  シャーシ
１３ａ，１３ｂ  凸部
１４  フローティングシャーシ
１５  インシュレータゴム
１６  可動ベース
１７  クランパホルダ
１８  クランパ
１９  ターンテーブル
２０  ディスクモータ
２１  ピックアップ
２３  ピン
２４  前面ベゼル
２６  可動ベース駆動機構
２７  第１スライダ
２８  第２スライダ
２９  駆動ギヤ
３０  ディスク載置部
４０  ラック
４２  第１ガイド溝
４４  第２ガイド溝
４６，４７  摺動部
４６ａ，４７ａ  ガイド溝
５３，５４  トレイ支持部
７１  ラック
７３  係合ピン
７６  第１の突起
７７  第２の突起
８１  平面部
８２  カム部
８３ａ  ピン
８３ｂ  係合ピン
８６  穴
８７  板バネ
８９，９０  傾斜溝
１１０  トレイガイド機構
１１２  トレイ保持機構
１１４  係合溝
【図１】
0003815265.tif 000002
【図２】
0003815265.tif 000003
【図３】
0003815265.tif 000004
【図４】
0003815265.tif 000005
【図５】
0003815265.tif 000006
【図６】
0003815265.tif 000007
【図７】
0003815265.tif 000008
【図８】
0003815265.tif 000009
【図９】
0003815265.tif 000010
【図１０】
0003815265.tif 000011
【図１１】
0003815265.tif 000012
【図１２】
0003815265.tif 000013
【図１３】
0003815265.tif 000014